(57)【要約】【課題】  印刷に用いるインク成分の搬送ローラへの付着差に着目せず、印刷に使用するインク量にのみ基づいて、インクを乾燥させるため記録媒体の搬送を停止させていたので、印刷の生産性を必要以上に低下していた。【解決手段】  画像データに基づいてインクを用いて搬送経路内を搬送される記録媒体に印刷する印刷装置において、前記搬送経路内で印刷済の記録媒体を搬送する搬送ローラと、画像領域の各画素位置において、第１のインクの色成分と前記第１のインクよりも前記搬送ローラに転写しにくい複数色の第２のインクの色成分とで構成される画像データに対して、前記第１のインクと前記第２のインクを用いて前記記録媒体に印刷する印刷部と、前記画像データに応じて、前記画像データに対して、前記第１のインクの色成分に対応したインク量を低減させ、前記第２のインクの色成分に対応したインク量を増加させるように画像処理する画像処理部とを備える。【選択図】  図３
2014065258.tif 000002
【特許請求の範囲】
【請求項１】
画像データに基づいてインクを用いて搬送経路内を搬送される記録媒体に印刷する印刷装置において、
前記搬送経路内で印刷済の記録媒体を搬送する搬送ローラと、
画像領域の各画素位置において、第１のインクの色成分と前記第１のインクよりも前記搬送ローラに転写しにくい複数色の第２のインクの色成分とで構成される画像データに対して、前記第１のインクと前記第２のインクを用いて前記記録媒体に印刷する印刷部と、
前記画像データに応じて、前記画像データに対して、前記第１のインクの色成分に対応したインク量を低減させ、前記第２のインクの色成分に対応したインク量を増加させるように画像処理する画像処理部と、
を備えることを特徴とする印刷装置。
【請求項２】
前記画像データの属性が文字データのみである場合、前記記録媒体において、前記搬送ローラと搬送される記録媒体とが接する領域を特定する領域特定部を備え、
前記領域内における前記画像データに対してのみ前記画像処理することを特徴とする請求項１に記載の印刷装置。
【発明の詳細な説明】
【技術分野】
【０００１】
本発明の実施形態は、インクの特性による搬送ローラへの付着差に着目して印刷に用いるインク成分のインク量を調節する印刷装置に関する。
【背景技術】
【０００２】
一般的に、印刷装置では、記録媒体の片面印刷や両面印刷などが行われ、印刷済の記録媒体が搬送ローラで搬送される。
【０００３】
この際、印刷済の記録媒体のインクが乾燥していない状態で搬送される場合がある。この場合、印刷済の記録媒体から搬送ローラにインクが付着してしまう（転写）。すると、後続の記録媒体が搬送ローラに搬送される際、搬送ローラに付着したインクが記録媒体に付着（再転写）して、印刷された画像を汚してしまうことがある。
【０００４】
このような再転写の問題に対して、特許文献１は、各色成分の階調値に対応した印刷に用いるインク量に基づいて、搬送ローラに付着したインクが乾燥する時間を算出し、印刷済の記録媒体の搬送タイミングを制御している。具体的には、印刷に使用するインク量が多いときは、印刷後、搬送ローラに付着したインクが乾燥するまでの間は記録媒体の搬送を停止し、インクが乾燥する時間になったことを見計らって搬送を再開して印刷を行う。
【先行技術文献】
【特許文献】
【０００５】
【特許文献１】特開２００９−１３３２９号公報
【発明の概要】
【発明が解決しようとする課題】
【０００６】
しかしながら、特許文献１では、以下のような問題を考慮していなかった。具体的には後述する。
【０００７】
一般的に印刷装置で記録媒体に印刷する場合、ＣＭＹＫインクを用いたカラー印刷やＫインクのみを用いたモノクロ印刷によって記録媒体に画像を印刷する。また、本来Ｋインクで表現する黒画像に対して、Ｋインクの代わりにＣＭＹインクを重ね合わせて再現する場合もある。
【０００８】
ここで、使用するＣＭＹＫインクによっては、インクの特性によって搬送ローラに付着しやすい場合と付着しにくい場合がある。
【０００９】
しかしながら、特許文献１では、付着しやすい場合と、付着しにくい場合に着目して制御を行っていなかったので、生産性が低下するということが問題になっていた。
【００１０】
具体的には、特許文献１では、インクの種類を問わず、印刷に使用するインク量にのみ基づいて、一律にインクが乾燥するまでの間は記録媒体の搬送を停止している。このため、搬送ローラに付着しにくいインクのインク量が多く、搬送ローラに付着しやすいインクのインク量が少ないとき、再転写しても印刷された画像を汚しにくいにもかかわらず、インクが乾燥するまで搬送を停止していたので、印刷の生産性を必要以上に低下させてしまっていた。
【００１１】
本発明は、以上の問題点を解決するためになされたものであり、インクの特性による搬送ローラへの付着差に着目して印刷の生産性を向上させつつも、再転写汚れを防止する印刷装置を提供することを目的としたものである。
【課題を解決するための手段】
【００１２】
本発明に係る印刷装置の第１の特徴によれば、画像データに基づいてインクを用いて搬送経路内を搬送される記録媒体に印刷する印刷装置において、前記搬送経路内で印刷済の記録媒体を搬送する搬送ローラと、画像領域の各画素位置において、第１のインクの色成分と前記第１のインクよりも前記搬送ローラに転写しにくい複数色の第２のインクの色成分とで構成される画像データに対して、前記第１のインクと前記第２のインクを用いて前記記録媒体に印刷する印刷部と、前記画像データに応じて、前記画像データに対して、前記第１のインクの色成分に対応したインク量を低減させ、前記第２のインクの色成分に対応したインク量を増加させるように画像処理する画像処理部とを備えることである。
【００１３】
本発明に係る印刷装置の第２の特徴によれば、前記画像データの属性が文字データのみである場合、前記記録媒体において、前記搬送ローラと搬送される記録媒体とが接する領域を特定する領域特定部を備え、前記領域内における前記画像データに対してのみ前記画像処理することである。
【発明の効果】
【００１４】
本発明に係る印刷装置の第１の特徴によれば、インク成分の違いによる搬送ローラへのインクの付着差に着目し、搬送ローラに付着しやすい成分に対応したインク量を少なくし、転写しにくい成分に対応したインク量を多くするように画像処理することで、再転写しやすいインク成分が少なくなり、インクが乾燥するまで待つ搬送を必要がなくなったので、印刷の生産性を向上しつつ再転写汚れを防止できる。
【００１５】
本発明に係る印刷装置の第２の特徴によれば、画像データの属性が文字データのみである場合、記録媒体と搬送ローラとが接する領域を特定して、領域内の画像データのみに対して、搬送ローラに付着しやすい成分に対応したインク量を少なくし、転写しにくい成分に対応したインク量を多くするように画像処理するので、搬送ローラを介してのインクの再転写を防止するとともに、極力画像データの本来の色味を再現できる。
【図面の簡単な説明】
【００１６】
【図１】印刷装置の全体図である。
【図２】印刷装置のブロック図である。
【図３】ＲＧＢ形式の画像データを取得してからＣＭＹＫ形式に変換して印刷するまでの処理を表したフローチャートである。
【図４】記録媒体と搬送ローラとが接する領域を特定する図である。
【図５】記録媒体と搬送ローラとが接する領域内と領域外におけるインク量と階調値との関係を表した図である。
【図６】記録媒体におけるＣＭＹＫ成分ごとの転写のしやすさを表した図である。
【発明を実施するための形態】
【００１７】
以下、図面を参照して、本発明の実施形態について説明する。
【００１８】
図１は、印刷装置の全体図である。図２は、印刷装置のブロック図である。図３は、ＲＧＢ形式の画像データを取得してからＣＭＹＫ形式に変換して印刷するまでの処理を表したフローチャートである。図４は、記録媒体と搬送ローラとが接する領域を特定する図である。図５は、記録媒体と搬送ローラとが接する領域内と領域外におけるインク量と階調値との関係を表した図である。図６は、記録媒体におけるＣＭＹＫ成分ごとの転写のしやすさを表した図である。
【００１９】
図１のように、印刷装置１００は、印刷部２１０、給紙台１２０、給紙ローラ１２２、レジストローラ１２４、給紙トレイ１３０、排紙口１４０、排紙台１５０、搬送ベルト１６０、切り替え部１７０、給紙系搬送路ＦＲ、通常搬送経路ＣＲ、スイッチバック経路ＳＲ、搬送ローラ１８０、表示部２１４とを備えている。
【００２０】
制御部２００は、取得部２１６と領域特定部２１８とを備えている。また、制御部２００は、記憶部２０２、画像読取部２０４、データ受信部２０６、画像処理部２０８、印刷部２１０、搬送部２１２、表示部２１４と接続されている。
【００２１】
取得部２１６は、印刷ジョブより画像データの属性情報、画像データのうちの黒画像データ、記録媒体のサイズ情報を取得する。属性としては、たとえば、画像データが文字であるか写真であるかなどを表す情報である。黒画像データは、画像データのうち印字したときに所定以上の階調を表現する画素データであり、本実施形態では、黒画像データがＫ成分とＣＭＹ成分とで構成される。記録媒体のサイズ情報は、Ａ４、Ａ５などのサイズ情報であり、後述する印刷ジョブの印刷設定などから取得した情報である。
【００２２】
領域特定部２１８は、搬送ローラ１８０と搬送される記録媒体とが接する搬送ローラ１８０の座標情報と記録媒体のサイズ情報に基づいて、搬送ローラ１８０と搬送される記録媒体とが接する領域を特定する。本実施形態では、領域の特定は、記憶部２０２の搬送ローラ１８０の座標情報と取得部２１６が印刷ジョブから取得した記録媒体のサイズ情報とが重なる座標を特定し、特定された複数の座標間を記録媒体と搬送ローラ１８０とが接する領域として特定する。さらに、領域特定部２１８は、特定された領域に対象画素があるか否かを判断する。
【００２３】
記憶部２０２は、ＲＯＭ（Read Only Memory）やＲＡＭ（Random Aｃｃess Memory）とを備えており、印刷するための搬送スケジューリング、記録媒体と搬送ローラ１８０とが接する搬送ローラ１８０の位置情報、搬送ローラ１８０の座標情報、搬送可能な記録媒体のサイズ情報などを記憶している。
【００２４】
搬送ローラ１８０の位置情報は、筐体の内部に設けられた各搬送ローラ１８０の位置を示す情報である。搬送ローラ１８０の座標情報は、記録媒体の搬送方向に対して幅方向の各搬送ローラ１８０の座標である。本実施形態では、記録媒体と搬送ローラ１８０とが接する座標が記憶されている。記録媒体のサイズ情報は、印刷ジョブの印刷設定などを参照して取得した記録媒体のサイズ情報である。
【００２５】
画像読取部２０４は、セットされた原稿用紙を読み取るスキャナである。画像読取部２０４は、読み取られた画像データを制御部２００に受け渡す。制御部２００は、画像読取部２０４により読み取られた画像データを画像処理部２０８に受け渡す。
【００２６】
データ受信部２０６は、ＰＣなどの情報端末装置から印刷ジョブ（PDLデータや印刷設定データ）を受信する通信インターフェースであり、受信した印刷ジョブに含まれる画像データを制御部２００に受け渡す。また、制御部２００は、画像処理部２０８に画像データを受け渡す。
【００２７】
画像処理部２０８は、画像データ受信部２０６から受信した画像データに画像処理を施す。たとえば、ＲＩＰ処理やＲＧＢ−ＣＭＹＫ変換処理などの画像処理を施す。また、画像処理部２０８は、各色階調値に基づいて、吐出機構が吐出するインク量を算出する。画像処理部２０８による画像処理後、制御部２００は、画像処理部２０８により画像処理された画像データを印刷部２１０に受け渡し印刷させる。
【００２８】
ＲＩＰ処理は、画像データ受信部２０６により受信された印刷ジョブに基づいて、レッド（以下、Ｒ）成分、グリーン（以下、Ｇ）成分、ブルー（以下、Ｂ）成分の所定の解像度のビットマップに展開した結果のラスタデータである印刷データを生成する。ここで、印刷データにおいては、所定の解像度で展開された各画素ごとに、Ｒ成分の値（例えば、０〜２５５）、Ｇ成分の値（例えば、０〜２５５）、Ｂ成分の値（例えば、０〜２５５）が対応づけられている。
【００２９】
ＲＧＢ−ＣＭＹＫ変換部処理は、ＲＩＰ処理で生成されたＲ成分、Ｇ成分、Ｂ成分の印刷データを、ルックアップテーブル（ＬＵＴ）を用いてシアン（以下、Ｃ）成分、マゼンタ（以下、Ｍ）成分、イエロー（以下、Ｙ）成分、ブラック（以下、Ｋ）成分を備える印刷データに変換する。
【００３０】
また、画像処理部２０８は、ＣＭＹＫ成分の階調値に基づいて、吐出機構が吐出するインク量を算出する。なお、本実施形態では、ＣＭＹインクとＫインクを用いてＫ成分を再現しているが、Ｋ成分を再現できればＣＭＹインク以外のカラーインクを用いてもよい。
【００３１】
印刷部２１０は、生成された印刷データに基づいて、吐出口からインクを吐出するインクジェットヘッドを含む吐出機構を備えている。印刷部２１０は、画像処理部２０８により画像処理された画像データに関する吐出指令を制御部２００から受け、吐出機構がインクを吐出して印刷する。
【００３２】
印刷部２１０は、図１のように、インクの吐出口（ノズル）を、主走査方向に複数配列したライン型のインクジェットヘッドを複数備え、それぞれのインクジェットヘッドからＫインク又はＣＭＹインクを吐出してライン単位で各色の画像を重ね合わせるようにして形成する印刷装置である。
【００３３】
搬送部２１２は、給紙ローラ１２２とレジストローラ１２４と搬送ローラ１８０と搬送ベルト１６０とを備える。搬送部２１２は、搬送経路内に設けられた搬送ローラ１８０と搬送ベルト１６０により記録媒体を搬送する。図１のように、搬送された記録媒体は、筐体の外部に露出した給紙台１２０と、筐体の内部に設けられた給紙トレイ１３０に積載された記録媒体を給紙ローラ１２２とレジストローラ１２４で搬送ベルト１６０まで搬送する。
【００３４】
レジストローラ１２４には、未印刷の記録媒体や片面印刷済の記録媒体が搬送されて導かれる。レジストローラ１２４の直前部分には、給紙された記録媒体の搬送経路と、裏面印刷の用紙が循環して搬送されてくる経路とが合流する合流地点が存在する。本実施形態では、この合流地点を基準に、給紙機構側の経路を給紙系搬送路ＦＲと称し、それ以外の経路を通常搬送経路ＣＲと称するものとする。
【００３５】
搬送ベルト１６０は、時計回り方向に回転して記録媒体を搬送する。また、搬送ベルト１６０の上面には、その記録媒体の搬送方向に沿って印刷部２１０が並べて配置されている。搬送ベルト１６０は、搬送ベルト上で印刷部２１０により印刷された記録媒体を搬送方向下流の搬送ローラ１８０へ搬送する。
【００３６】
搬送ローラ１８０は、主に通常搬送経路ＣＲとスイッチバック経路ＳＲにおいて、印刷済の記録媒体を搬送する。記録媒体の片面のみに印刷を行う片面印刷の場合は、スイッチバック経路ＳＲには搬送されず、切り替え部１７０により排紙口１４０に導かれて、搬送ローラ１８０に搬送され排紙台１５０に排紙される。
【００３７】
記録媒体の両面に印刷を行う両面印刷の場合は、表面（以下、最初に印刷される面を「表面」、表面の反対の面を「裏面」とする。）印刷終了時には排紙口１４０に導かれずに、裏面印刷用に搬送路を切り替える切り替え部１７０によりスイッチバック経路ＳＲに搬送される。スイッチバック経路ＳＲにおいて、通常搬送経路ＣＲから用紙が受け渡され、用紙を往復させて通常搬送経路ＣＲに戻すことにより用紙の表裏を反転させるスイッチバックを行う。
【００３８】
スイッチバックした後、再度レジストローラ１２４に導かれ、表面と同様の手順によって裏面の印刷が行われる。裏面の印刷が行われ、両面に画像が形成された記録媒体は、切り替え部１７０により排紙口１４０に導かれて搬送ローラ１８０に搬送され排紙台１５０に排紙される。なお、本実施形態では、図１のように、両面印刷時のスイッチバック経路ＳＲにおけるスイッチバックを、排紙台１５０内に設けられた空間を利用して行うようにしている。
【００３９】
排紙台１５０は、印刷済の記録媒体を排出する排紙口１４０を通った記録媒体を積載する。また、排紙台１５０は、筐体から突出したトレイ形状をしており、ある程度の厚みを有している。排紙台１５０は傾斜しており、傾斜の下位置に形成された壁により、排紙口１４０から排紙された記録媒体が自然に整えられて重なっていくようになっている。
【００４０】
表示部２１４は、画像データの画像を表示するパネルであり、ユーザから印刷設定などの入力指示を受ける。本実施形態では、表示する画像や印刷設定の情報は、記憶部２０２のＲＡＭやＲＯＭから読み出して表示している。
【００４１】
次に、記録媒体が搬送ローラ１８０により搬送されたときのＣＭＹＫインクの転写と再転写のしやすさを図６を用いて説明する。
【００４２】
搬送部２１２は、給紙ローラ１２２により給紙された記録媒体Ｐ１を搬送ローラ１８０により搬送する。記録媒体Ｐ１は、図６（ａ）のように、ＫインクがＣＭＹインクよりも記録媒体Ｐ１の表面にとどまっている。
【００４３】
ここで、搬送ローラ１８０にインクが付着（転写）する要因は、搬送ローラ１８０が記録媒体の表面にとどまったインクを押圧することで起こる。インクの特性によっては、転写しやすいインクと転写しにくいインクがある。特に、近年、Ｋインクに関しては、文字等を鮮明に表現するように、色の再現域を拡げたり印刷濃度を上げたりするため、本実施形態のＫインクでは、記録媒体の表面にインクをとどまらせようとする処理を施している。その結果、Ｋインクは、ＣＭＹインクよりも転写しやすい上、再転写したときに汚れとして目立ちやすいという傾向がある。一方、ＣＭＹインクは、Ｋインクほど記録媒体の表面にとどまっていないため転写しにくい上、再転写してもあまり汚れが目立たないという傾向がある。
【００４４】
図６（b）は、印刷直後の記録媒体Ｐ１が搬送ローラ１８０でニップされている状態である。前述のとおり、Ｋインクに関しては、ＣＭＹインクよりも記録媒体の表面にとどまっているので、搬送ローラ１８０に付着しやすい状態である。
【００４５】
図６（ｃ）は、搬送ローラ１８０で記録媒体Ｐ１を搬送して、記録媒体上のインクが搬送ローラ１８０に付着（転写）した状態である。この際、記録媒体の表面にとどまっているＫインクの方がＣＭＹインクよりも搬送ローラ１８０に多く転写している。
【００４６】
記録媒体Ｐ１の搬送に続いて、図６（d）のように、記録媒体Ｐ１の後続の記録媒体Ｐ２が搬送ローラ１８０により搬送される。その後、図６（e）のように、転写された搬送ローラ１８０が記録媒体Ｐ２を搬送している状態となる。
【００４７】
搬送ローラ１８０で搬送される際、記録媒体Ｐ２が搬送ローラ１８０でニップされるので、図６（ｆ）のように、転写された搬送ローラ１８０から記録媒体Ｐ２に再転写する。搬送ローラ１８０には、Ｋインクの方がＣＭＹインクよりも多く付着していたので、Ｋインクの方がＣＭＹインクよりも多く記録媒体Ｐ２へ再転写する。
【００４８】
次に、印刷装置内１００において、ＲＧＢ形式の画像データを取得してから印刷するまでの処理について、図３を用いて説明する。  
【００４９】
制御部２００がＲＧＢ形式の画像データを取得する（Ｓステップ３０１）。また、取得部２１６は、印刷ジョブの画像データの属性情報を取得する。
【００５０】
Ｓステップ３０１において、取得部２１６が印刷ジョブより取得した画像データの属性が文字データのみである場合、領域特定部２１８は、図４のように、記録媒体上の領域において、各搬送ローラの座標情報Ｘ１と記録媒体のサイズ情報Ｙ１とが重なる領域Ｘ１Ｙ１、Ｘ２Ｙ１を特定する（Ｓステップ３０３）。
【００５１】
領域特定部２１８は、取得部２１６が印刷ジョブより取得した記録媒体のサイズデータに基づいて、記録媒体と搬送ローラ１８０とが接する領域Ｘ１Ｙ１、Ｘ２Ｙ１であるか否かを判断する（Ｓステップ３０５）。
【００５２】
Ｓステップ３０５において、画像データ中の対象画素が記録媒体と搬送ローラ１８０とが接する領域Ｘ１Ｙ１、Ｘ２Ｙ１外の領域の画素である場合（Ｓステップ３０５でＮＯ）、Ｓステップ３０７へ移行する。
【００５３】
Ｓステップ３０７において、画像処理部２０８は、図５（a）に対応したＬＵＴを参照して、ＲＧＢ形式の画像データをＣＭＹＫ形式の画像データに変換する（Ｓステップ３０９）。ＣＭＹＫ形式の変換の際には、画像データにハーフトーン処理などを施す。
【００５４】
また、画像処理部２０８は、図５（a）のようなインク量と階調値との関係に基づいて、変換されたＣＭＹＫ形式の画像データの各色成分の階調値に対応したインク量を算出する（Ｓステップ３１１）。画像処理部２０８がインク量を算出した後、Ｓステップ３１３へ移行する。
【００５５】
ここで、図５（ａ）は、記録媒体と搬送ローラ１８０とが接する領域外でのインク量と階調値の関係を表したものであり、図５（b）は、記録媒体と搬送ローラ１８０とが接する領域内でのインクのインク量と階調値の関係を表したものである。
【００５６】
Ｓステップ３１３において、画像処理部２０８は、対象画素データについて１ページ分の変換処理が終了したとき（Ｓステップ３１３でＹＥＳ）、印刷部２１０は、画像データに基づいて、記録媒体に印刷処理を開始する（Ｓステップ３１５）。
【００５７】
Ｓステップ３０５において、画像データ中の対象画素が記録媒体と搬送ローラ１８０とが接する領域Ｘ１Ｙ１、Ｘ２Ｙ１内の画素である場合（Ｓステップ３０５でＹＥＳ）、Ｓステップ３１７へ移行する。
【００５８】
Ｓステップ３１７において、画像処理部２０８は、図５（b）に対応したＬＵＴを参照して、領域Ｘ１Ｙ１、Ｘ２Ｙ１におけるＲＧＢ形式の画像データの画素データをＣＭＹＫ成分に変換する（Ｓステップ３１９）。
【００５９】
また、画像処理部２０８は、図５（b）のようなインク量と階調値との関係に基づいて、変換されたＣＭＹＫ形式の対象画素データに対して、領域Ｘ１Ｙ１、Ｘ２Ｙ１におけるＫ成分のインク量を領域Ｘ１Ｙ１、Ｘ２Ｙ１外におけるＫ成分のインク量よりも低減させ、領域Ｘ１Ｙ１、Ｘ２Ｙ１におけるＣＭＹ成分のインク量を領域Ｘ１Ｙ１、Ｘ２Ｙ１外におけるＣＭＹ成分のインク量よりも増加させるように、各色成分の階調値に対応したインク量を算出する（Ｓステップ３２１）。
【００６０】
Ｓステップ３１３において、対象画素データについて１ページ分の変換処理が終了していない場合（Ｓステップ３１３でＮＯ）、１ページ分の変換処理が終了するまで画像処理を繰り返す。
【００６１】
画像処理部２０８は、対象画素データについて１ページ分の変換処理が終了したとき（Ｓステップ３１３でＹＥＳ）、Ｓステップ３１５へ移行する。
【００６２】
印刷部２１０は、画像データに基づいて、記録媒体に印刷処理を開始する（Ｓステップ３１５）。なお、本実施形態では、対象画素について１ページ分の変換処理が終了するまで印刷処理をしないが、変換処理と並行して印刷処理を開始してもよい。
【００６３】
図５（b）において、黒画像のインク量は、Ｋインクのインク量がＣＭＹインクのインク量を超えない関係にある。つまり、記録媒体と搬送ローラ１８０とが接する領域Ｘ１Ｙ１、Ｘ２Ｙ１では、黒画像であっても転写しやすいＫインクのインク量を抑え、転写しにくいＣＭＹインクのインク量を増加させる。このようにすることで、再転写しやすいインク成分が少なくなり、インクが乾燥するまで搬送を待つ必要がなくなったので、印刷の生産性を向上しつつ再転写汚れを防止できる。
【００６４】
また、取得部２１６が印刷ジョブより取得した画像データの属性が文字のみである場合、領域特定部２１８が搬送ローラ１８０と搬送される記録媒体とが接する領域を特定し、画像処理部２０８が領域Ｘ１Ｙ１、Ｘ２Ｙ１に対応した黒画像データに対して、図５（b）を参照して、黒画像に対して画像処理を施す。このようにすることで、搬送ローラを介してのインクの再転写を防止するとともに、極力画像データの本来の色味を再現できる。
【００６５】
また、Ｓステップ３０１において、取得部２１６が印刷ジョブより取得した画像データの属性が文字以外であり、たとえば、写真である場合、画像処理部２０８は、Ｓステップ３１７に移行して、図５（b）を参照して、画像領域全域の黒画像データに対して画像処理を施す。このようにすることで、統一した色味で写真などを再現できる。
【００６６】
また、図５（b）のような、Ｋインクのインク量がＣＭＹインクのインク量を超えない関係を満たせば、Ｋインクのインク量やＣＭＹインクのインク量を増減させる値は任意に設定できる。たとえば、印字部２１０から搬送ローラ１８０までの距離に応じて増減する値に設定してもよい。また、画像データの属性情報に応じた値に設定してもよい。
【００６７】
なお、取得部２１６が印刷ジョブより取得した画像データの属性に基づかずに、画像領域全域の画像データに対して、搬送ローラに付着しやすい成分に対応したインク量を少なくし、転写しにくい成分に対応したインク量を多くするように画像処理するようにしてもよい。
【００６８】
なお、本実施形態では、吐出機構にライン型のインクジェットヘッドを用いているが、シリアル型のインクジェットヘッドを用いてもよい。また、本実施形態ではインクを用いているが、トナーを用いた印刷方式でもよい。
【００６９】
以上、実施形態を用いて本発明を詳細に説明したが、本発明は本明細書中に説明した実施形態に限定されるものではない。本発明の範囲は、特許請求の範囲の記載及び特許請求の範囲の記載と均等の範囲により決定されるものである。
【符号の説明】
【００７０】
１００  印刷装置
１２０  給紙台
１２２  給紙ローラ
１２４  レジストローラ
１３０  給紙トレイ
１４０  排紙口
１５０  排紙台
１６０  搬送ベルト
１７０  切り替え部
１８０  搬送ローラ
２００  制御部
２０２  記憶部
２０４  画像読取装置
２０６  データ受信部
２０８  画像処理部
２１０  印刷部
２１２  搬送部
２１４  表示部
２１６  取得部
２１８  領域特定部
【図１】
2014065258.tif 000003
【図２】
2014065258.tif 000004
【図３】
2014065258.tif 000005
【図４】
2014065258.tif 000006
【図５】
2014065258.tif 000007
【図６】
2014065258.tif 000008